(57)【要約】
　【課題】　ＬＥＤと電池の組付構造を簡単にすると共に、ＬＥＤの点灯、消灯のスイッチ機構もこの簡単な組付構造に有し、しかもＬＥＤによる光によって装飾体全体を明るく灯し、これにより人目を引き、しかも離れた場所からでも見易くし、更に、装飾体を季節や行事などに合わせた装飾性に富む形状にすることにより、楽しい雰囲気を醸し出す吊下げ型点灯式アクセサリーを提供することを課題とする。
　【解決手段】　ＬＥＤの基部と小型電池とをホルダー内に備え、ＬＥＤに対してホルダーを押す方向に操作することによりＬＥＤの先端部が点灯し、ホルダーを引く方向に操作するとＬＥＤが消灯するスイッチ構造を内蔵したＬＥＤユニットの少なくとも点灯部分を、内部又は外面に反射部又は屈折部を有する装飾体の下端部から上方に向けて突入させてＬＥＤユニットと装飾体とを組み付け、装飾体の上端部に、イヤリング又はピアス等の留金具に接続した。
　【選択図】　図１
0003100429.tif 000002
【実用新案登録請求の範囲】
【請求項１】
ＬＥＤの基部と小型電池とをホルダー内に備え、ＬＥＤに対してホルダーを押す方向に操作することによりＬＥＤの先端部が点灯し、ホルダーを引く方向に操作するとＬＥＤが消灯するスイッチ構造を内蔵したＬＥＤユニットの少なくとも点灯部分を、透明又は透光性を有するプラスチック又はガラス製の筒又はブロックで形成しその内部又は外面に反射部又は屈折部を有する装飾体の下端部から上方に向けて突入させることにより、ＬＥＤユニットと装飾体とが組み付けられ、且つ、該装飾体の上端部に連結部材を介して接続されていることを特徴とする吊下げ型点灯式アクセサリー。
【請求項２】
ＬＥＤユニットは、細い有底筒形状を有するホルダー内に電池が固定された状態で収容されて、該ホルダー内における電池の上方個所にＬＥＤの基部が進退自在且つ抜け止めされた状態で支持されて、ホルダーをＬＥＤの先端部方向に押すと、電池の接点とＬＥＤの接点とが電気接続してＬＥＤが点灯し、これとは反対方向に向けた操作を行なうと、双方の接点が離れてＬＥＤが消灯するスイッチ構造を有し、ＬＥＤの点灯部分である先端部がホルダーの径よりも若干大径のものが用いられている請求項１に記載の吊下げ型点灯式アクセサリー。
【請求項３】
装飾体の反射部は、装飾体内のＬＥＤの前方に向けた個所に、ＬＥＤの光を反射させる面を持つ反射部材を設けることにより構成し、装飾体の屈折部は、装飾体の一部又は全体を光が屈折するように凹凸を有するように構成した請求項１又は２に記載の吊下げ型点灯式アクセサリー。
【請求項４】
装飾体の反射部又は屈折部は、装飾体の外周面に反射率又は屈折率を高める紙又はフィルムを貼り付け、或いは塗膜層を形成している請求項１ないし３のいずれか１項に記載の吊下げ型点灯式アクセサリー。
【請求項５】
装飾体から下方に突出させたホルダーに、プラスチック又はガラス或いは金属製の第２装飾体が固定されて、当該第２装飾体を装飾体に向けて押すとＬＥＤが点灯し、反対方向に引くとＬＥＤが消灯するように構成されている請求項１ないし４のいずれか１項に記載の吊下げ型点灯式アクセサリー。
【請求項６】
装飾体の下方に、糸又は細紐を上部で束ねた垂れ房の上部が、直接固定された状態で、又は前記ホルダーに固定された状態で設けられている請求項１ないし５のいずれか１項に記載の吊下げ型点灯式アクセサリー。
【請求項７】
装飾体がミニチュア提灯の形状を有している請求項１ないし５のいずれか１項に記載の吊下げ型点灯式アクセサリー
【考案の詳細な説明】
【技術分野】
【０００１】
　本考案は、電池を内蔵したＬＥＤユニットとアクセサリーとしての機能を持つ装飾体と吊下げ用の係止具とを備え、ＬＥＤユニットの構造が簡単であり、装飾体全体がＬＥＤによって灯り、例えば、夏祭りの夜や盆踊りの夜に、耳や髪に吊下げたり、腰に吊下げたり、或いは被服に吊り下げたり、手に持ったストラップから吊下げて使用することにより、風情豊かで、派手に人の目を楽しませることができる上、夜道を歩き易くしたり、夜道を歩くときに車から身を守ったりする安全灯にもなる吊下げ型点灯式アクセサリーに関する。
【背景技術】
【０００２】
　発光ダイオードの略称であるＬＥＤと小型の電池を内蔵し、ＬＥＤを点灯させることにより人目を楽しませることができるアクセサリーは従来にも発明や考案がなされており、例えば、先行文献１に記載の点滅式アクセサリ、先行文献２に記載のイヤリングが公知である。
【０００３】
　先行文献１に記載の点滅式アクセサリは、同公報に記載の実用新案登録請求の範囲によれば、光が点滅する点滅手段を具備し（請求項１）、前記点滅手段は、アクセサリ本体に装着することにより点滅を開始し（請求項２）、前記点滅手段は、発光ダイオードによって光の点滅を行い（請求項３）、身体に固定する固定部材と、該固定部材に連接された透明な枠部材と、該枠部材内に設けられた発光ダイオードと電池、及び該枠部材が装飾部材に装着されることにより該電池を発光ダイオードに接続して点滅させるスイッチ部材とを具備し（請求項４）、これらの点滅式アクセサリがイヤリングである（請求項５）との記載がある。
【０００４】
　また、同公報の段落番号「００１２」には、点灯部４は、硝子あるいはプラスチック等の透明な素材によって管状に形成された外枠４ａの内部に、点灯素子である発光ダイオード４ｂ、該発光ダイオード４ｂに電源を供給するボタン電池４ｃ、及び発光ダイオード４ｂとボタン電池を接続するスイッチ部４ｄとによって構成されている、との記載がある。
【０００５】
　先行文献２に記載のイヤリングは、同公報の添付図によれば、有底細筒形状を有するホルダ内に電池を備え、ホルダ下端から下方に向けて点灯体を突出させた状態で固定され、点灯体と電池の端子とを結線させた構造を有する本体部が、耳たぶに留めるための留め具に連結されて、この留め具から吊下げられた構造になっている。
【０００６】
【非特許文献１】登録実用新案第３０２２６１２号公報
【非特許文献２】実開昭６２−８７５１９号公報
【考案の開示】
【考案が解決しようとする課題】
【０００７】
　しかしながら、先行文献１に記載の点滅式アクセサリにおいて、発光ダイオードの周囲に透明な円筒形の枠部材が設けられているが、このような円筒形状の枠部材に向けて発光ダイオードの光が射しても、この内側面から外周面に向けた部分が均質であり、且つ光を反射させたり屈折させる部分が殆ど無いため、発光ダイオードの光は枠部材を殆どそのまま透過して枠部材の外方向に直進する。このため、枠部材の外側から見ると、発光ダイオードが光ったそのままの大きさで見える。つまり、この枠部材は発光ダイオードと電池を内部で保持するために用いられ、枠部材を透明にしたのは発光ダイオードの光を遮断しないためにあることが容易に推測できる。しかも、枠部材の下部が開口しているために、発光ダイオードから下方に向けた光はそのまま下方に向かう。このため、この点滅式アクセサリーの放つ光は、遠く離れた位置から見ると小さな光であり、見え難い。
【０００８】
　また、この先行文献１の点滅式アクセサリは、前記公報の添付図を見ると、円筒形の枠部材内の空間中央に発光ダイオードと電池と組み付けたものを固定させるという組み付け構造を採用しているため、製造に手間とコストを要する。
【０００９】
　また、この先行文献１の点滅式アクセサリは、枠部材で発光ダイオードを覆っているにもかかわらず、枠部材が透明な円筒形状であることから、例えば、発光ダイオードを光らせない昼間では装飾性に劣るという問題がある。
【００１０】
　先行文献２に記載のイヤリングについても同様に、点灯体が発する光がそのまま光って見えるため、離れた場所から見るとこの光は小さく見える。
【００１１】
　本考案が解決しようとする問題点は、ＬＥＤと電池の組付構造を簡単にするとともにＬＥＤの点灯、消灯のスイッチ機構もこの簡単な組付構造に有し、しかもＬＥＤによる光によって装飾体全体を明るく灯し、これにより人目を引き、しかも離れた場所からでも見易くし、更に、装飾体を季節や行事などに合わせた装飾性に富む形状にすることにより、楽しい雰囲気を作る吊下げ型点灯式アクセサリーを提案することにより、前述した課題を解決しようとするものである。
【課題を解決するための手段】
【００１２】
　以上の課題を解決するための手段である請求項１に記載の吊下げ型点灯式アクセサリーは、ＬＥＤの基部と小型電池とをホルダー内に備え、ＬＥＤに対してホルダーを押す方向に操作することによりＬＥＤの先端部が点灯し、ホルダーを引く方向に操作するとＬＥＤが消灯するスイッチ構造を有するＬＥＤユニットの少なくとも点灯する部分が、透明又は透光性を有するプラスチック又はガラス製の筒又はブロックで形成された装飾体の下端部から上方に向けて突入した状態で、ＬＥＤユニットと装飾体とが組み付けられ、且つ、装飾体の上端部に連結部材を介して接続されていることを特徴とする。
【００１３】
　本考案の吊下げ型点灯式アクセサリーにおいて、ＬＥＤ（発光ダイオード）は、小型電池から電圧を印加させることにより、赤、橙、黄、緑、紫、青などのうちのいずれかの色が点灯し、必ずしも限定さえるものではないが、夜間に目立つように光らせるという点、及び着用者を健康に輝かせるという点を考慮すると、赤色や黄色に点灯するものが望ましい。
【００１４】
　小型電池は、長時間ＬＥＤに電圧を印加させることができるリチウム電池が最適である。
　又、ＬＥＤの基部と小型電池は、ＬＥＤの点灯する部分を突出させた状態でホルダ内に収容されて、ホルダーを押す方向に操作することによりＬＥＤの先端部が点灯し、ホルダーを引く方向に操作するとＬＥＤが消灯するスイッチ構造を有し、このようにしてＬＥＤユニットが構成されている。
【００１５】
　装飾体は、外観に装飾性を持たせるという機能に加えて、ＬＥＤの点灯部分を保持するという機能と、ＬＥＤが点灯した光で全体が明るく灯るという機能を有する。
【００１６】
　外観に装飾性を持たせるための好適な一例としては、吊下げ型点灯式アクセサリーの使用する季節や場所などを含めた使用環境及び使用者の年代や性別に応じた形状や色彩などを、デザイン性を高めたシンプルなものにすることによって得られたものが挙げられる。
【００１７】
　ＬＥＤの点灯する部分を保持させる好適な一例としては、装飾体の下端部にＬＥＤの点灯する部分と略外径が等しい大きさの開口又は開孔を形成し、この開口又は開孔内にＬＥＤの点灯する部分を圧入することによって得られる構造のものが挙げられる。
【００１８】
　ＬＥＤが点灯した光によって明るく灯るという機能は、装飾体内又は外面でＬＥＤが点灯した光を反射や屈折させることによって得られる。
【００１９】
　本考案において、装飾体としては、人の身の回りに付けて歩行できるのものであれば特に限定されるものではないが、具体的には、例えばイヤリング、ピアス、髪飾り、ネックレス、ストラップ、キーホルダー、提灯又は安全灯等のアクセサリーが挙げられる。
【００２０】
　このようにして、イヤリングやピアスにおいてその留金具に接続すると、点灯式のイヤリングやピアスになり、ＬＥＤが点灯して優雅な雰囲気と人目を引き、小さな女の子から大人の女性まで使用できる。又、このように構成すると一層人目を引きつけ、ＬＥＤの点灯色が赤色系の色の場合には、この灯りによって女の子や女性の顔が一層可愛く見え、見栄えが良くなるのである。このため、大晦日の初参りの夜、クリスマスの夜、盆踊りの夜、花火大会の夜、祭りの夜、キャンプの夜、夜店に出かけたとき、夜間のスキーのときに使用すると、楽しい雰囲気を更に高める。勿論、夜だけでなく、昼間でも使用できるのであり、この場合、一般的にはＬＥＤが消灯される。
【００２１】
　そして、髪飾り用においてその櫛部に接続すると、和服やハッピ、浴衣に似合う楽しい点灯式の髪飾りになり、大晦日の初参りの夜、盆踊りの夜、花火大会の夜、祭りの夜、夜店に出かけるときには、その雰囲気を一層高めることができる上、楽しい雰囲気を更に高めることができる。
【００２２】
　又、ネックレスに接続すると、首元や胸元が光り、首元や胸元の回りの見栄え向上し、一層楽しさが増大するのである。
【００２３】
　更に、ストラップに接続したり、提灯に接続すると、手から吊下げて使用したり、腰から吊り下げたり、カバンに吊り下げたり、携帯電話機と一緒に吊り下げたり、ベルトから吊り下げることができる結果、暗い夜道を歩くときに車などから身を守る安全灯にもなるのである。
　加えて、キーホルダーに接続すると、夜間に鍵穴を明るくする灯りになる。
【００２４】
　そして、安全ピンやクリップに接続すると、ブローチのように浴衣着や洋服に吊り下げることもできる。
【００２５】
　ところで、本考案の吊下げ型点灯式アクセサリーは、ＬＥＤユニットにも大きな特徴があり、本発明ではこれを請求項２に挙げている。
　即ち、請求項２に記載の吊下げ型点灯式アクセサリーでは、前記構成の上、ＬＥＤユニットは、細い有底筒形状を有するホルダー内に電池が固定された状態で収容されて、該ホルダー内における電池の上方個所にＬＥＤの基部が進退自在且つ抜け止めされた状態で支持されて、ホルダーをＬＥＤの先端部方向に押すと、電池の接点とＬＥＤの接点とが電気接続してＬＥＤが点灯し、これとは反対方向に向けた操作を行なうと、双方の接点が離れてＬＥＤが消灯するスイッチ構造を有し、ＬＥＤの点灯部分である先端部がホルダーの径よりも若干大径のものを用いるのが望ましい。
【００２６】
　ＬＥＤユニットのホルダーは、ＬＥＤと電池、特にリチウム電池を一体的に保持するとともに、ＬＥＤを点灯させたり消灯させるスイッチ構造の一部を構成し、しかもその操作部にもなる。このホルダーは、好適な形状及び構造として、アルミニウムやニッケル若しくはこれらの合金等の軽金属で形成された細い有底筒形状を有し、該ホルダーには、ホルダーの内径と略同じ外径を有する棒状の電池、例えばリチウム電池が、ホルダーの底に接する状態で収容されており、リチウム電池の抜け止めを図るため、リチウム電池の先端が位置するホルダーの先端近傍の途中部は、若干内側に絞った形状にしてある。
【００２７】
　そして、電池の先端部より前方に位置するホルダーの先端近傍内に、ＬＥＤの基部が進退自在な状態で突入支持されており、ホルダーに対してＬＥＤを後退させる方向（押し込む方向）に操作すると、電池の接点とＬＥＤの接点とが電気接続してＬＥＤが点灯し、これとは反対方向に向けた操作を行なうと、双方の接点が離れてＬＥＤが消灯するスイッチ構造を有し、ＬＥＤがホルダーから抜け出ないように、ホルダーの前端も若干絞った形状にし、ＬＥＤの基部に対してホルダーはスイッチ機能を働かせることができる程度に可動する。
【００２８】
　このようにしてＬＥＤユニットを構成すると、丈夫な構造を有し、しかも安価にて製造できる、簡単な構造の小さなものにすることができる上、スイッチ操作も簡単に且つ容易に行えるのであり、特に、連続して８時間以上点灯させ続けることができると、一晩中点灯できるので、使用中に電池切れが生じない。なお、電池切れが生じたときには、ＬＥＤユニットを交換したり、或いは吊下げ型点灯式アクセサリーを新しいものと交換する。この点において、本考案の吊下げ型点灯式アクセサリーは安価な使い捨てのものでもある。
【００２９】
　ところで、装飾体内でＬＥＤが点灯した光を反射又は屈折させる構造について、請求項３で好適なものを挙げている。
　即ち、請求項３に記載の吊下げ型点灯式アクセサリーにおいては、前記いずれかの構成の上、装飾体の反射部が、装飾体内のＬＥＤの前方に向けた個所に、ＬＥＤの光を反射させる面を持つ反射部材を設けることにより構成し、装飾体の屈折部は、装飾体の一部又は全体を光が屈折するように凹凸をゆうするように構成したものが望ましい。
【００３０】
　装飾体内のＬＥＤの前方に向けた個所に、ＬＥＤの光を反射させる面を持たせる好適な一例を挙げると、装飾体のＬＥＤの点灯する部分が突入している側と反対側である上端部から内方向に有底の開口を形成し、この開口内に、この開口と略同じ径を有し、その先端に傘状の面を持つ反射面が形成された透明のプラスチック又は硝子小片を圧入させたものを挙げることができる。このようにして装飾体を構成すると、ＬＥＤの点灯した光が装飾体を透過して反射面で反射し、装飾体内の両端近傍個所には、ＬＥＤの灯りとこの灯りが反射した灯りの２つが灯って一層明るく見えるのである。
【００３１】
　装飾体の一部又は全体を光が屈折するように凹凸を持たせる一例としては、装飾体の外面をかぼちゃのように縦溝又は縦方向の凸条を多数形成し、この縦溝又は凸条を形成している斜面にＬＥＤの光が入射すると、この光が大きく屈折して装飾体の内部で乱反射し、装飾体を明るく照らすように構成したものを挙げることができる。
【００３２】
　このように構成すると、ＬＥＤの光によって装飾体全体が明るく点灯し、離れた場所からも確認できるのである。
【００３３】
　また、装飾体内でＬＥＤが点灯した光を反射又は屈折させる構造について、請求項４においても好適なものを挙げている。
　即ち、請求項４に記載の吊下げ型点灯式アクセサリーでは、前記いずれかの構成の上、装飾体の反射部又は屈折部を、装飾体の外周面に反射率又は屈折率を高める紙又はフィルムを貼り付け、或いは塗膜層を形成することにより構成したものである。
【００３４】
　この紙又はフイルムは、装飾体の内部を透過してきたＬＥＤの光を吸収させないで、効率良く反射又は屈折させるため、反射率や屈折率の高い色、例えば、白を基調とした色を挙げることができる。しかも、紙やフィルムの裏側の光の一部が透過して、装飾体全体を明るく灯すことができるように、厚さが薄く、光を遮断しない材料であるものが用いられる。更に好ましくは、表面が赤系の色を帯びたものを用いる。このようにすると、装飾体は提灯のように赤く全体が灯る。これは塗膜層についても同様である。
【００３５】
　ところで、上述した各構成の吊下げ型点灯式アクセサリーでは、装飾体が１つ設けられたものになっているが、装飾体の形状などによっては、装飾体を２つ設けてもよい。
　例えば、請求項５に記載の吊下げ型点灯式アクセサリーでは、前記いずれかの構成の上、更に、装飾体から下方に突出させた前記ホルダーに、プラスチック又はガラス或いは金属製の第２装飾体が固定されて、当該第２装飾体を装飾体に向けて押すとＬＥＤが点灯し、反対方向に引くとＬＥＤが消灯する構造を備えている。
【００３６】
　この第２装飾体は、吊下げ型点灯式アクセサリーの装飾性を高め、しかも、前記ホルダーのスイッチ操作を行うにあたり、この第２装飾体を指先で摘んで行うことができるという使い勝手の良さがある。
【００３７】
　そして、本考案の請求項６においては、前記いずれかに記載の構成の上、更に、装飾体の下方に、糸又は細紐を上部で束ねた垂れ房の上部が、直接固定された状態で、又は前記ホルダーに固定された状態で設けられたものが挙げられる。
【００３８】
　このように垂れ房を設けると、装飾性が一層向上する上、吊下げ型点灯式アクセサリーが一層情緒豊かに目立って見栄えが良くなるので望ましい。
【００３９】
　ところで、装飾体の形状については、前述した各構成のものが挙げられるので特に限定されるものではないが、盆踊りの夜、花火大会の夜、祭りの夜などに最適な形状として、請求項７では、装飾体がミニチュア提灯の形状を有しているものを挙げる。
【００４０】
　　このように、装飾体をミニチュア提灯の形状にすると、祭りの雰囲気が一層高まり、このミニチュア提灯を用いた吊下げ型点灯式アクセサリーがイヤリングやピアスであると、特に目立って見え、昼間でも祭りの雰囲気が高められる。そして、このミニチュア提灯の形をした装飾体の外周面を、例えば、表面が赤い色の紙を貼り付ければ、着用者の顔を赤く染め、女の子の顔を一層可愛らしく見栄え良く見せるのである。また、若い女性の顔を一層色っぽく見せたり、昼間でも良く目立ち、祭りの雰囲気を一層高めることができる。
【００４１】
　そして、更に、この紙に、祭りの文字やだんじり祭りの文字更に祭りの絵柄などが大きく書かれていると、祭りの雰囲気を更に一層高めることができる。
【考案の効果】
【００４２】
　以上において説明した本考案の吊下げ型点灯式アクセサリーは、ＬＥＤと電池の組付構造が簡単であり、しかもＬＥＤの点灯、消灯のスイッチ構造を有する丈夫で、製造し易く、取扱いが極めて容易な構造になっているために、使い勝手が良く、又、ＬＥＤが発する光を装飾体内やその外面で反射させたり、屈折させることによって、装飾体全体を一層明るく灯すことができる。
　この結果、一層人目を引き、しかも離れた場所からでも見易くなるなどの効果を有するのである。
【００４３】
　又、このような構成を有する本考案の吊下げ型点灯式アクセサリーは、明かりが灯るアクセサリーとして、季節の行事などに合わせて使用できるのであり、特に、赤く灯る提灯形のイヤリングやピアスにすると、赤色の灯が優雅な雰囲気と人目を引き、夏祭りや盆踊りの雰囲気を高めるだけでなく、着用者の顔を赤く染める。この結果、小さな女の子の可愛さが一層増し、又、若い大人の女性では健康的な色気をかもし出すことができる。このように本考案の点灯式アクセサリーは、小さな女の子から大人の女性まで使用できるのであり、また、好みによっては、男の子や若い男性も使用できるのであるなどの効果を奏するのである。
【００４４】
　更に、本考案の吊下げ型点灯式アクセサリーにおいては、イヤリングやピアスだけでなく、髪飾り、ネックレス、ストラップ、キーホルダー、提灯又は安全灯等の明るく光る、各種アクセサリーとして利用できるなどの効果を有するのである。
【００４５】
　加えて、本考案の吊下げ型点灯式アクセサリーにおいては、ストラップに接続して、手から吊下げて使用したり、腰から吊り下げたり、カバンに吊り下げたり、携帯電話機と一緒に吊り下げたり、ベルトから吊り下げたりすることができるのであり、このような用い方をすると、暗い夜道を歩くときに車などから身を守る安全灯にもなるなどの効果を奏するのである。
【００４６】
　そして、本考案の吊下げ型点灯式アクセサリーをキーホルダーに接続すると、夜間に鍵穴を明るくし、その使用が極めて容易になるなどの効果も発現するのである。
【考案を実施するための最良の形態】
【００４７】
　次に、本考案の吊下げ型点灯式アクセサリーの具体的な構成を添付図面に示す実施例に基づいて詳述する。
【実施例１】
【００４８】
　図１の（ａ）図は本考案の１実施例による吊下げ型点灯式アクセサリーをＬＥＤが消灯した状態で示す正面図、図１の（ｂ）図は同じくＬＥＤが点灯している状態を示す正面図、図２は同じく組付け直前の状態を示す正面図、図３の（ａ）図は同じく装飾体の紙を貼り付ける前の状態を示す正面図、図３の（ｂ）図は同じくその正面断面図、図４の（ａ）図はＬＥＤユニットにおいてその先端のＬＥＤが点灯していない状態を示す正面図であり、図４の（ｂ）図は同じくＬＥＤが点灯している状態を示す正面図である。
【００４９】
　これら各図に示す本考案の実施例の１つである吊下げ型点灯式アクセサリー１は、その上端部に設けられている連結部材２を介して、図示しないイヤリング又はピアスの留金具、髪飾り用の櫛部、ネックレス、ストラップ、キーホルダー、安全ピン、クリップ等のいずれかを接続することによって最終的な吊下げ型点灯式アクセサリーとなり、これら各図に示す吊下げ型点灯式アクセサリー１は、吊下げられる部分を構成する共通した本体部である。
【００５０】
　これら各図に示すように、この吊下げ型点灯式アクセサリー１の主要部を形成している装飾体３は、透明のプラスチック又はガラスによってミニチュア提灯の外形を有するブロック状に形成されている。
【００５１】
　そして、図１の各図及び図２に示すように、装飾体３の外周面に、祭りの文字４ａと絵柄４ｂが記載された表面が赤色の紙４が貼られている。この紙４の裏面は、光の反射又は屈折を高めるため、着色されていない白色になっている。
【００５２】
　図２に示すように、この装飾体３の上端には、有底の小さな開口３ａが形成されており、図３の各図に示すように、この開口３ａ内にサルカン状の連結部材２の下部が圧入されて固定されている。
【００５３】
　そして、図２に示すように、装飾体３の下端部の中央から当該装飾体３の内部の中央近傍辺りまで、有底の深い開孔３ｂが形成されており、図２と図３の（ｂ）図更に図４の（ａ）図及び（ｂ）図に示すように、この開孔３ｂの奥深い位置まで、ＬＥＤユニット５の先端部分を構成しているＬＥＤ６の点灯部分６ｂが圧入されて、装飾体３とＬＥＤユニット５が一体的に組み付けられている。ＬＥＤ６の点灯部分６ｂより後方（下方）に位置するＬＥＤユニット５のホルダー７は、前記開孔３ｂよりも若干小径であり、このため、ホルダー７の一部は装飾体３の開孔３ｂ内に位置している。
【００５４】
　そして、図２及び図３の（ａ）更に図３の（ｂ）図に示すように、装飾体３の下端部中央から下方に突出しているＬＥＤユニット５のホルダー７の部分に、筒状の取付部材８を介して、垂れ房９の上部９ａが固定されている。
【００５５】
　そして、図１の（ａ）図及び図３の（ａ）図及び（ｂ）図に示す実施例１の吊下げ型点灯式アクセサリー１は、高さＨが約８ｃｍ有り、同図に示すようにＬＥＤ６が点灯していない状態では、ホルダー７の下端部が垂れ房９内に長く突出しており、一方、図１の（ｂ）図に示すように、ＬＥＤ６を点灯させる場合には、ホルダー７の下端部を上方（装飾体３方向）に押し込んで当該下端部が垂れ房９内に短く突出するように操作すればよいのである。
【００５６】
　これら各図に示すように、ＬＥＤユニット５は、直径が３ｍｍ、長さが２２ｍｍのアルミニウム製の有底筒状に形成されたホルダー７と、このホルダー７の内径と略等しい外形を有する長さ１７ｍｍのリチウム電池１０と、全長が６ｍｍ、基部の長さが３ｍｍ、基部の外径がホルダー７の内径と略等しく、発光する部分６ｂの外径がホルダー７の外径よりも若干大きな形状を有し、その手前側の基部６ａがホルダー７の内径と略等しい形状を有するＬＥＤ６が組み付けられて一体となっており、前記ホルダー７はＬＥＤ６に対して若干進退可能な状態に構成されている。
【００５７】
　そして、図４の（ａ）図及び（ｂ）図に示すように、リチウム電池１０の前端の周囲に位置するホルダー７の部分７ａを若干内側に絞って、リチウム電池１０がホルダー７内で移動しないように固定されている。そして更に、ＬＥＤ６がホルダー７の前端から抜け外れないように、ホルダー７の前端の一部に突出して形成した突起７ｂをＬＥＤ６の基部６ａに係止させている。
【００５８】
　このようにして組み付けられたＬＥＤユニット５内のリチウム電池１０の先端とＬＥＤ６の基部６ｂの後端との間には、図４の（ａ）図に示すように、若干の隙間があり、この隙間があることによって、リチウム電池１０の先端より突出している接点１０ａと、ＬＥＤ６の基部６ａの後部にある接点６ｃとは離れた状態にあり、このため、ＬＥＤ６は点灯していないのである。
【００５９】
　これに対し、図４の（ｂ）図に示すように、ホルダー７をＬＥＤ６方向に押すと、ＬＥＤ６とリチウム電池１０とが接近して、双方の接点６ｃ，１０ａが接触して、リチウム電池１０の電圧がＬＥＤ６に印加され、ＬＥＤ６が点灯する。つまり、ＬＥＤユニット５はこのような構造を有する。そして、この場合、このＬＥＤユニット５のＬＥＤ６を連続点灯させ続けると、平均して８時間以上点灯し続けることが確認されている。
【００６０】
　図５は上述した実施例１の吊下げ型点灯式アクセサリー１の連結部材２にイアリングの留め具１２を接続した点灯式イヤリング１Ａを示す正面図であり、図６はピアスの留め具１３を接続した点灯式ピアス１Ｂを示す正面図である。
【００６１】
　これら各図に示すように、実施例１の赤く灯る提灯形の点灯式イヤリング１Ａや点灯式ピアス１Ｂは、赤色の灯が優雅な雰囲気と人目を引き、夏祭りや盆踊りの雰囲気を高めるだけでなく、着用者の顔を赤く染める。この結果、小さな女の子の可愛さが一層増し、若い大人の女性では健康的な色気をかもし出す。勿論、灯色は赤色に限定されるものではなく、他の色、例えば橙色、黄色、緑色、青色等に灯るように構成してもよいのである。この場合、貼り付ける紙の色を色々変更することによって色のバリエーションを変化させることができる。
【産業上の利用可能性】
【００６２】
　本考案の吊下げ型点灯式アクセサリーは、ＬＥＤが単に発光する従来の点灯式アクセサリーとは違って、ＬＥＤの光を装飾体内で反射させたり、装飾体内で屈折させて拡散させることによって、装飾体全体を明るく灯すことができる結果、特に、装飾体を提灯の形にし、その下に垂れ房を垂らした形状にすることによって、夏祭りや秋祭り、盆踊りの際に、イヤリングやピアスとして使用すると、これらの雰囲気に合った光るイヤリングやピアスになり、しかも着用者の顔を赤く染めて可愛く見せる。また、この吊下げ型点灯式アクセサリーをストラップに接続して手や腰から吊下げると、夜間に道を歩くときの灯りにもなり、車による事故も防止できる結果、安全灯としても使用できるのである。また、髪飾り、ネックレス、キーホルダー等に接続できるので、その利用範囲は極めて広いのである。
【図面の簡単な説明】
【００６３】
【図１】図１において（ａ）図は本考案の１実施例による吊下げ型点灯式アクセサリーをＬＥＤが消灯した状態で示す正面図である。　図１において（ｂ）図は同じくそのＬＥＤが点灯している状態を示す正面図である。
【図２】図２は同じくその組付け前の状態を示す分解正面図である。
【図３】図３において（ａ）図は同じく装飾体の紙を貼り付ける前の状態を示す正面図である。　図３において（ｂ）図は同じくその正面断面図である。
【図４】図４において（ａ）図はＬＥＤユニットをその先端のＬＥＤが点灯していない状態で示す正面図である。　図４において（ｂ）図は同じくそのＬＥＤが点灯している状態を示す正面図である。
【図５】図５は吊下げ型点灯式アクセサリーを点灯式イヤリングに応用した場合を示す正面図である。
【図６】図６は同じく吊下げ型点灯式アクセサリーを点灯式ピアスに応用した場合を示す正面図である。
【符号の説明】
【００６４】
　　１　　吊下げ型点灯式アクセサリー
　　２　　連結部材
　　３　　装飾体
　　３ａ　開口
　　３ｂ　開孔
　　４　　紙
　　５　　ＬＥＤユニット
　　６　　ＬＥＤ
　　６ａ　基部
　　６ｂ　点灯部分
　　７　　ホルダー
　　８　　取付部材
　　９　　垂れ房
　１０　　リチウム電池
【図１】
0003100429.tif 000003
【図２】
0003100429.tif 000004
【図３】
0003100429.tif 000005
【図４】
0003100429.tif 000006
【図５】
0003100429.tif 000007
【図６】
0003100429.tif 000008